(57)【要約】【課題】良好な断熱効果を得られると共に、高い利便性を確保できるミキサー車用の断熱カバーを提供する。【解決手段】本発明のミキサー車１用の断熱カバー２０は、ミキサー車１の回転ドラム４を覆う一対のカバー部材４６，４８と、一対のカバー部材４６，４８の間に配置される断熱材５０と、を備え、一対のカバー部材４６，４８は、光の反射率が互いに異なる材料で構成されている、ことを特徴とする。一対のカバー部材４６，４８が、光の反射率が互いに異なる材料で構成されているので、一方のカバー部材４６を表にしてミキサー車１の回転ドラム４を覆った場合と、他方のカバー部材４８を表にしてミキサー車１の回転ドラム４を覆った場合とで、異なる断熱性能を得ることができる。【選択図】図１
2014113719.tif 000002
【特許請求の範囲】
【請求項１】
ミキサー車用の断熱カバーであって、
前記ミキサー車の回転ドラムを覆う一対のカバー部材と、
前記一対のカバー部材の間に配置される断熱材と、を備え、
前記一対のカバー部材は、光の反射率が互いに異なる材料で構成されている、
ことを特徴とするミキサー車用の断熱カバー。
【請求項２】
前記一対のカバー部材の一方は、光反射率が９０％以上の材料で構成され、前記一対のカバー部材の他方は、光反射率が７０％以下の材料で構成されている、
請求項１に記載のミキサー車用の断熱カバー。
【請求項３】
前記断熱カバーは、前記ミキサー車の回転ドラムを回転可能に支持する支持ベルトよりも後方の回転ドラムの部分を覆う後方カバー部材と、前記支持ベルトよりも前方の回転ドラムの部分を覆う前方カバー部材とを備えて構成される、
請求項１又は請求項２に記載のミキサー車用の断熱カバー。
【発明の詳細な説明】
【技術分野】
【０００１】
本発明は、生コンクリートを搬送するためのミキサー車用の断熱カバーに関する。
【背景技術】
【０００２】
生コンクリートを搬送するためのコンクリートミキサー車は、運転席後方に回転ドラムを備え、この回転ドラム内に、製造された生コンクリートを収容して目的地まで搬送する。このミキサー車は、生コンクリートの搬送中、生コンクリートの品質を均一に保つように、回転ドラムを回転させるとともに、内部に設けられた撹拌装置で生コンクリートを撹拌するように構成されている。このようなミキサー車では、例えば夏期に外気温度が高くなると、搬送中の回転ドラム内の生コンクリートの温度も上昇してしまい、生コンクリートの温度が所定温度以上になると、品質劣化を招く。また、冬期に外気温度が低いために生コンクリートの温度が低くなると、コンクリートの所定の強度を得ることができない。
【０００３】
ミキサー車内の生コンクリートの所定温度以上の温度上昇または所定温度以下の温度低下を防止する方法として、例えば特許文献１及び特許文献２には、ミキサー車の回転ドラムを断熱カバーで覆うものが知られている。このミキサー車では、外気温度が高い夏期には、断熱カバーに放水した上で走行して水を気化させ、その気化熱で回転ドラムを冷却する。また、外気温度が低い冬期には、断熱カバーに放水せず、そのまま断熱カバーを使用する。
【先行技術文献】
【特許文献】
【０００４】
【特許文献１】特開２００９−２６９３９１号公報
【特許文献２】特開２０１０−３０３０６号公報
【発明の概要】
【発明が解決しようとする課題】
【０００５】
しかしながら、上記のような断熱カバーでは、放水する手間がかかり、また、長時間走行する場合には途中で水が全て蒸発してしまうことが考えられ、所望の冷却効果を得られない。また、断熱カバーをスポンジ状の素材や不織布等の断熱材で構成する場合には、走行中の外気の汚れを断熱材が捕らえてしまい、断熱カバーが汚れてしまうという問題がある。
【０００６】
本発明の目的は、良好な断熱効果を得られると共に、高い利便性を確保できるミキサー車用の断熱カバーを提供することにある。
【課題を解決するための手段】
【０００７】
上記の目的を達成するために、本発明のミキサー車用の断熱カバーは、ミキサー車の回転ドラムを覆う一対のカバー部材と、一対のカバー部材の間に配置される断熱材と、を備え、一対のカバー部材は、光の反射率が互いに異なる材料で構成されている、ことを特徴としている。
このように構成された本発明においては、一対のカバー部材が、光の反射率が互いに異なる材料で構成されているので、一方のカバー部材を表にしてミキサー車の回転ドラムを覆った場合と、他方のカバー部材を表にしてミキサー車の回転ドラムを覆った場合とで、異なる断熱性能を得ることができる。したがって、例えば夏期と冬期で、カバー部材の光反射率を異なるように設置すれば、それぞれ季節に適した断熱性能を得ることができるから、断熱カバーの利便性が向上する。また、従来のように気化熱によって回転ドラムを冷却する手法を採用していないので、使用時に断熱カバーに水をかける必要がなく、取扱いが容易であるとともに、断熱カバーの汚れの付着が低減される。
【０００８】
本発明において、好ましくは、一対のカバー部材の一方は、一対のカバー部材のうち一方のカバー部材の光反射率が９０％以上であり、他方のカバー部材の光反射率が７０％以下の材料で構成されている。
このように構成された本発明においては、一対のカバー部材のうち一方のカバー部材の光反射率が９０％以上であり、他方のカバー部材の光反射率が７０％以下であるので、例えば外気温度の高い夏期には一方のカバー部材が表になるように断熱カバーを配置すれば、日光の大半を反射して、断熱効率を高めることができる。また例えば外気温度が低い冬期には、他方のカバー部材が表になるように断熱カバーを配置すれば、断熱材が回転ドラムからの熱の放出を抑制することができるとともに、他方のカバー部材が日光の一部を吸収するので、断熱カバーの表面が冷えすぎず、回転ドラムの内外の温度差を緩和することができる。
【０００９】
本発明において、好ましくは、断熱カバーは、ミキサー車の回転ドラムを回転可能に支持する支持ベルトよりも後方の回転ドラムの部分を覆う後方カバー部材と、支持ベルトよりも前方の回転ドラムの部分を覆う前方カバー部材とを備えて構成される。
このように構成された本発明においては、断熱カバーが後方カバー部材と前方カバー部材とで構成されているので、回転ドラムの回転を阻害することなく回転ドラムのほぼ全周を断熱カバーで覆うことができる。したがって、断熱効果をより一層高めることができ、生コンクリートの温度の変化を効率よく抑制することができる。
【図面の簡単な説明】
【００１０】
【図１】本発明の一実施形態に係る断熱カバー及びミキサー車の全体図である。
【図２】本発明の一実施形態に係る断熱カバーを前方側から見た図である。
【図３】本発明の一実施形態に係る断熱カバーを後方側から見た図である。
【図４】本発明の一実施形態に係る断熱カバーの断面図である。
【図５】本発明の一実施形態に係る断熱カバーの連結部を示す図である。
【発明を実施するための形態】
【００１１】
以下、本発明の好ましい実施形態を添付図面を参照して説明する。
図１は、本発明の一実施形態に係る断熱カバー及びミキサー車の全体図である。この図１に示すように、ミキサー車１は、運転席２を備えた走行体３と、運転席２の後方に配置され、内部に生コンクリートを収容可能な回転ドラム４と、回転ドラム４を回転させる回転駆動装置６と、を備える。回転ドラム４は、生コンクリートを回転ドラム４内に投入するためのコンクリート投入部８と、回転ドラム４内から生コンクリートを排出するためのコンクリート排出部１０とを備えている。また、回転ドラム４は、前後方向の中間位置において、支持ベルト１２によって走行体３に対して回転可能に支持されている。
【００１２】
このようなミキサー車１の回転ドラム４の外周には、本発明に係る断熱カバー２０が配置されている。
断熱カバー２０は、回転ドラム４において支持ベルト１２よりも前方の部分を覆う前方カバー２２と、支持ベルト１２よりも後方の部分を覆う後方カバー２４と、を備える。
【００１３】
図２は、本発明の一実施形態に係る前方カバー２２を前方側から見た図である。この図２及び前述の図１に示すように、前方カバー２２は、回転ドラム４の形状に対応した形状に形成されている。即ち、前方カバー２２は、回転ドラム４の支持ベルト１２に隣接して配置され且つ前方に向かって直径が拡大する円錐台部分を覆う第１の側部２６（図１）と、第１の側部２６の前方に連続し且つ一定の直径の円筒形部分を覆う第２の側部２８と、第２の側部２８の前方に連続し且つ前方に向かって直径が縮径する円錐台部分を覆う第３の側部３０と、第２の側部３０の前方に連続し且つ回転ドラム４の前端面を覆うドーナツ状の前端部３２と、を有する。第１の側部２６、第２の側部２８、第３の側部３０、及び前端部３２は、互いに縫合部３４によって縫い合わされて接合されている。なお、これらの部材の接合は、縫合部３４によるものに限らず、接着、溶着等、任意の接合手段を用いて行うことができる。前方カバー２２は周方向の一箇所が断熱カバー２０の前後方向に沿って開放されて端部が形成されており、これらの端部には、端部同士を連結して前方カバー２２を回転ドラム４に取り付けるための連結部３６が、前方カバー２２の前後方向に沿って設けられている。また、前端部３２には、前端部３２の内縁をしぼって前端部３２を回転ドラム４の回転軸４Ａの周りにしっかり固定するための絞り部３７が設けられている。
【００１４】
図３は、本発明の一実施形態に係る後方カバー２４を後方側から見た図である。この図３及び前述の図１に示すように、後方カバー２４は、回転ドラムの４の形状に対応した形状に形成されている。即ち、後方カバー２２は、支持ベルト１２に隣接して配置され且つ後方に向かって縮径する円錐台部分を覆う第４の側部３８と、第４の側部３８の後方に連続し且つ回転ドラム４の後端面を覆うドーナツ状の後端部４０とを有する。前方カバー２２と同様に、第４の側部３８及び後端部４０は、端部において互いに縫合部４２によって縫い合わされて接合されている。なお、これらの部材の接合も、縫合部４２によるものに限らず、接着、溶着等、任意の接合手段を用いて行うことができる。後方カバー２４は、周方向の一箇所が断熱カバーの前後方向に沿って開放されて端部が形成されており、これらの端部には、端部同士を連結して後方カバー２４を回転ドラム４に取り付けるための連結部４４が、後方カバー２４の前後方向に沿って設けられている。また、後端部４０には、後端部４０の内縁を絞って後端部４０を回転ドラム４の回転軸４Ａのまわりにしっかり固定するための絞り部４５が設けられている。
【００１５】
図４は、本発明の一実施形態に係る断熱カバー２０の断面図である。この図４及び前述の図１に示すように、前方カバー２２及び後方カバー２４は、それぞれ、第１のカバー部材４６と、第２のカバー部材４８と、第１のカバー部材４６及び第２のカバー部材４８の間に配置される断熱材５０と、を備える。
【００１６】
第１のカバー部材４６は、ポリエチレン（ＰＥ）から作られ、繊維状のポリエチレンを経糸及び緯糸として編み、シート状に形成したものである。このような第１のカバー部材４６は、耐水性２００ｃｍＡｑ以上、引裂強度が縦４９０Ｎ／５ｃｍ、横５１６Ｎ／５ｃｍと、高い耐久性を有している。また、第１のカバー部材４６の断熱性能は、例えば、熱貫流率が０．６Ｗ／ｍ２・ｋ以下である。第１のカバー部材４６は、白色に着色されており、このため、光反射率が９０％以上に設定されている。
【００１７】
第２のカバー部材４８は、第１のカバー部材４８と同様に、繊維状のポリエチレンをシート状に編んだものである。第２のカバー部材４８は、第１のカバー部材４６と同じ耐久性及び断熱性能を有する。第２のカバー部材４８は、銀色に着色されており、光反射率が第１のカバー部材４６よりも低く設定されている。つまり、第２のカバー部材４８は、光反射率が７０％以下に設定されている。
【００１８】
第１のカバー部材４６及び第２のカバー部材４８は、前方カバー２２及び後方カバー２４の形状に応じた形状に切断され、縫合部３４，４２で互いに縫い合わされている。つまり、前方カバー２２の第１の側部２６を形成する第１及び第２のカバー部材４６，４８は、扇形に切断され、第２の側部２８を形成する第１及び第２のカバー部材４６，４８は、長方形に切断され、第３の側部３０を形成する第１及び第２のカバー部材４６，４８は、扇形に形成され、前端部３２を形成する第１及び第２のカバー部材４６，４８は、ドーナツ（リング）状に形成されている。また、後方カバー２４の第４の側部３８を形成する第１及び第２のカバー部材４６，４８は、扇形に切断され、後端部４０を形成する第１及び第２のカバー部材４６，４８は、ドーナツ（リング）状に切断される。
【００１９】
これらの第１及び第２のカバー部材４６，４８の各部分の端部が縫合部３４，４２によって縫い合わされることにより、前方カバー２２には、第１の側部２８，第２の側部２８、第３の側部３０，及び前端部３２を形成する第１及び第２のカバー４６，４８の間にそれぞれ空間５２が形成される。従って、本実施形態では、前方カバー２２には、空間５２が計４つ形成される。また、後方カバー２４には、第４の側部３８及び後端部４０を形成する第１及び第２のカバー４６，４８の間にそれぞれ空間５４が形成される。したがって、本実施形態では、公報カバー２４には、空間５４が計２つ形成される。なお、第１及び第２のカバー部材４６，４８を端部以外の箇所で更に縫い合わせることにより、内部の空間５２，５４を更に分割しても良い。
【００２０】
断熱材５０は、発泡スチロール、発泡ビーズ等の発泡材、おがくず等の任意の断熱性能を有する材料を使用することができる。断熱材５０として発泡スチロールを使用した場合には、例えば断熱材５０を厚さ１０ｍｍの板状部材に形成し、第１のカバー部材４６及び第２のカバー部材４８の間の空間５２，５４内に並べて配置する。発泡スチロールは、断熱性が高いが、割れやすいので、適当な寸法の板状に形成して、空間５２，５４内に複数個並べるのが好ましく、これにより、断熱カバー２０が回転ドラム４の外形形状に良好に沿うようになる。また、断熱材５０として発泡ビーズ等の材料を使用する場合には、断熱カバー２０の厚みを均一にして、回転ドラム４の周囲に適切に断熱材５０が配置されるように、第１及び第２のカバー部材４６，４８の間の空間５２，５４を複数個に分割して、断熱材５０を収納するのがよい。
【００２１】
図５は、本発明の一実施形態に係る連結部３６、４４を示す断面図である。第１及び第２カバー部材４６，４８の連結部３６，４４は、ともに同じ構造となっており、第１及び第２のカバー４６，４８の端部を折り返して縫合された折り返し部分に、それぞれ等間隔に複数個設けられたはとめ５６と、断熱カバー２０の開放された端部の間を覆う連結カバー５８とを有する。
【００２２】
連結カバー５８の一方は、第１のカバー部材４６と同じ材料でシート状に形成され、第１のカバー部材４６の一方の端部から反対側の端部に向かって延び、これらの端部間の隙間を覆う長さに形成されている。また、連結カバー５８の他方は、第２のカバー部材４８と同じ材料でシート状に形成され、第２のカバー部材４８の一方の端部から反対の端部に向かって延び、これらの端部間の隙間を覆う長さに形成されている。したがって、図５のように断熱カバー２０の端部同士が連結された状態では、一方の連結カバー５８は、断熱シート２０の端部間の隙間の上方に位置してこれを覆い、他方の連結カバー５８は、断熱シート２０の端部間の隙間の下方に位置してこれを覆うように配置されている。
【００２３】
図２及び図３に戻って、絞り部３７，４５は、前端部３２及び後端部４０のドーナツ状の内周端部に設けられた袋状部に、紐を通して形成される。
以上のように、断熱カバー２０は、表裏対称に形成され、裏返し可能に構成されている。
【００２４】
このように構成された断熱カバー２０を使用する際には、夏期のような外気温度が高い場合には、白色の第１のカバー部材４６が表となるように、前方カバー２２及び後方カバー２４を回転ドラム４に被せる。前方カバー２２及び後方カバー２４の端部をそれぞれ互いに引き寄せ、対向するはとめ５６に紐を通しながら前後方向に沿って端部を連結する。このとき、連結部３６，４４の下方に連結カバー５８の他方が配置されて、断熱カバー２０の端部の間の回転ドラム４表面を覆うようにし、回転ドラム４が全周にわたって露出しないようにする。
【００２５】
次に、絞り部３７，４５の紐を引いて、前端部３２及び後端部４０の内周端部を絞り、前端部３２及び後端部４０が回転ドラム４の前端面及び後端面にそれぞれ密着するようにする。
ミキサー車１は、前述のように断熱カバー２０が取り付けられた状態で、回転ドラム４内に生コンクリートを収容し回転ドラム４を回転させながら走行する。このとき、断熱カバー２０表面の第１のカバー部材４６が日光の大部分を反射して熱の吸収を防止し、また、断熱材５０が外気の温度を回転ドラム４内部に伝えにくくする。したがって、回転ドラム４内の温度の上昇が防止され、内部の生コンクリートの品質低下が防止される。
【００２６】
また、冬期のような、外気温度が低い場合には、銀色の第２のカバー部材４８が表となるように、断熱カバー２０を裏返す。そして上記と同様に回転ドラム４の外周に断熱カバー２０を取り付け、連結部３６，４４及び絞り部３７，４５によって断熱カバー２０を回転ドラム４に固定する。
このような取り付け状態では、断熱材５０が、生コンクリートの熱が回転ドラム４の表面から外気に逃げるのを防止する。また、第２のカバー部材４８が銀色に着色され、その光反射率が第１のカバー部材４６の光反射率よりも低いので、駄２のカバー部材４８が日光の一部を吸収することによって、断熱カバー２０が冷えすぎず、回転ドラム４の内外の温度勾配を緩和して、より効率的に断熱が行われる。
【００２７】
このように構成された本実施形態によれば、次のような優れた効果を得ることができる。
断熱カバー２０の第１のカバー部材４６と第２のカバー部材４８が、互いに異なる光反射率を有する材料で構成されているので、第１のカバー部材４６を表にして使用する場合と、第２のカバー部材４８を表にして使用する場合とで、異なる断熱性能を得ることができる。したがって、例えば夏期のような外気温度の高い場合には、第１のカバー部材４６を表にして使用することにより、日光の大部分を反射して回転ドラム４への熱の伝達を徹底的に防ぎ、冬期のような外気温度の低い場合には、第２のカバー部材４８を表にして使用することにより、日光の一部を断熱カバー２０に吸収して、断熱カバー２０が冷えすぎるのを防止する。これにより、回転ドラム４の内外の温度差を小さくして、より効率的な断熱を実現することができる。
【００２８】
断熱カバー２０が、前方カバー２２と後方カバー２４とに分かれているので、支持ベルト１２の後方にも、断熱カバー２０を取り付けることができる。これにより、回転ドラム４の外周のほぼ全部を断熱カバー２０によって覆うことができるから、生コンクリートの温度上昇または温度低下を効率よく防止することができる。
【００２９】
本発明は、以上の実施の形態に限定されることなく、例えば、断熱カバーを回転ドラムに取り付けるための連結部は、はとめ及び紐によるものに限らず、ボタン、フック、面ファスナ等の取り外し可能な任意の連結手段を用いることができる。
断熱カバーは、前方カバー及び後方カバーで構成されているものに限らず、例えば前方カバーのみが設けられていてもよい。また、前方カバーを複数のカバーに分割して構成してもよい。
【００３０】
断熱カバーは、回転ドラムの前端面及び後端面を覆う前端部及び後端部を必ずしも有していなくても良く、前端部または後端部のみを有するものであってもよいし、前端部及び後端部が設けられておらず、回転ドラムの側面のみを覆う構造のものであってもよい。
【００３１】
第１のカバー及び第２のカバーの色及び光反射率は、それぞれ白色及び銀色に着色されているものに限らず、任意の色、任意の光反射率のものを、使用条件に応じて採用することができる。
【００３２】
回転ドラムの外周は面積が広く、また走行中回転するので、断熱カバーのカバー部材表面に広告等の情報を表示してもよい。
【符号の説明】
【００３３】
１  ミキサー車
４  回転ドラム
１２  支持ベルト
２０  断熱カバー
２２  前方カバー
２４  後方カバー
４６  第１のカバー部材
４８  第２のカバー部材
５０  断熱材
【図１】
2014113719.tif 000003
【図２】
2014113719.tif 000004
【図３】
2014113719.tif 000005
【図４】
2014113719.tif 000006
【図５】
2014113719.tif 000007